(57)【要約】
【課題】　磁気テープ装置にもともと備わっているローディングポストや傾斜ポストを活用してクリーナユニットを取り付けられるようにすることにより、クリーニング性能の持続性を改善することと併せて、クリーナユニットの構成の簡略化やその組立て作業性の改善を図る。
【解決手段】　ローディングポスト３と傾斜ポスト４とを、それらに共通の可動基台６に取り付けて一体化すると共に、ローディングポスト３と傾斜ポスト４とを活用してクリーナユニット７を取り付ける。クリーナユニット７のクリーナ部材７３は、ローディングポスト３のローディング動作又はアンローディング動作の途中の工程で、回転ドラム２２に押し付けられて磁気ヘッド２３をクリーニングする。
【選択図】　　　　図１
0003099769.tif 000002
【実用新案登録請求の範囲】
【請求項１】
磁気ヘッドを備えて傾斜軸の回りで回転する回転ドラムから遠隔した初期位置と上記回転ドラムの近傍の動作位置との間で往復移動可能で、初期位置から動作位置に至る往動によりテープカセットから引き出した磁気テープを上記回転ドラムに巻き掛けるローディング動作を行い、動作位置から初期位置に至る復動により上記回転ドラムに対する磁気テープの巻掛け状態を解除するアンローディング動作を行うローディングポストと、このローディングポストに付設されかつ上記傾斜軸と略平行に配備されて磁気テープが巻き掛けられる傾斜ポストとが、それらに共通の可動基台に取り付けられて一体化されていると共に、上記ローディングポストのローディング動作又はアンローディング動作の途中の工程で、上記回転ドラムに押し付けられて上記磁気ヘッドをクリーニングするクリーナユニットを備えている磁気テープ装置において、
　上記傾斜ポストと上記ローディングポストとに、横に並んでいる位置する磁気テープ巻掛け部と、横に並んで位置して磁気テープが巻き掛けられない非巻掛け部とが、それぞれ具備されており、
　上記クリーナユニットのクリーナ部材を支持するアームに具備された孔部が、上記傾斜ポストの非巻掛け部に嵌合保持されていると共に、その孔部から横に延び出た二股状の係止部が上記ローディングポストの非巻掛け部に嵌合して係止されて当該アームが傾斜ポストを中心に回動することを阻止しており、
　上記クリーナ部材が、上記各工程で上記回転ドラムの外周面の一定角度範囲の領域と擦れ合う位置に配備されていると共に、上記各工程で、上記クリーナ部材が上記回転ドラムの外周部を擦りながら水平に移動するようになっているのに対し、そのクリーナ部材が擦れ合う上記回転ドラムの擦合領域で、上記磁気ヘッドが山形状の軌跡に沿って回転するようになっていることを特徴とする磁気テープ装置。
【請求項２】
磁気ヘッドを備えて傾斜軸の回りで回転する回転ドラムから遠隔した初期位置と上記回転ドラムの近傍の動作位置との間で往復移動可能で、初期位置から動作位置に至る往動によりテープカセットから引き出した磁気テープを上記回転ドラムに巻き掛けるローディング動作を行い、動作位置から初期位置に至る復動により上記回転ドラムに対する磁気テープの巻掛け状態を解除するアンローディング動作を行うローディングポストと、このローディングポストに付設されかつ上記傾斜軸と略平行に配備されて磁気テープが巻き掛けられる傾斜ポストとが、それらに共通の可動基台に取り付けられて一体化されていると共に、上記ローディングポストのローディング動作又はアンローディング動作の途中の工程で、上記回転ドラムに押し付けられて上記磁気ヘッドをクリーニングするクリーナユニットを備えている磁気テープ装置において、
　上記傾斜ポストが、磁気テープ巻掛け部と磁気テープが巻き掛けられない非巻掛け部とを備え、上記クリーナユニットのクリーナ部材を支持するアームが、上記傾斜ポストの非巻掛け部に嵌合保持されていると共に、クリーナ部材が、上記各工程で上記回転ドラムの外周面の一定角度範囲の領域と擦れ合う位置に配備されていることを特徴とする磁気テープ装置。
【請求項３】
上記各工程で、上記クリーナ部材が上記回転ドラムの外周部を擦りながら水平に移動するようになっているのに対し、そのクリーナ部材が擦れ合う上記回転ドラムの擦合領域で、上記磁気ヘッドが山形状の軌跡に沿って回転するようになっている請求項２に記載した磁気テープ装置。
【請求項４】
上記ローディングポストが、磁気テープ巻掛け部と磁気テープが巻き掛けられない非巻掛け部とを備え、上記アームが、上記傾斜ポストの非巻掛け部に嵌合された孔部と、上記ローディングポストの非巻掛け部に係止して当該アームが傾斜ポストを中心に回動することを阻止する係止部とを備えている請求項３に記載した磁気テープ装置。
【請求項５】
上記ローディングポストの非巻掛け部が、上記傾斜ポストの非巻掛け部の横に並んで位置していると共に、上記アームの係止部がその孔部の横に延び出て上記ローディングポストの非巻掛け部に係止されている請求項４に記載した磁気テープ装置。
【考案の詳細な説明】
【技術分野】
【０００１】
　本考案は、磁気テープ装置、特に、磁気テープが巻き掛けられる回転ドラムに内蔵されている磁気ヘッドを、磁気テープのローディング工程又はアンローディング工程の途中でクリーニングするためのクリーナユニットを備えた磁気テープ装置に関する。
【背景技術】
【０００２】
　図３は磁気テープ装置の一般的な概略構成を示した説明図である。図３において、１はテープカセットで、左右に振り分けてリール１ａ及びリール１ｂが配備されている。２はヘッドシリンダで、固定ドラムと固定ドラムの上側に同心配備されて傾斜軸の回りで回転する回転ドラムとを有し、回転ドラムに内蔵されている磁気ヘッドが、回転ドラムと固定ドラムとの隙間に臨んでいる。３，３はローディングポストで、これらのローディングポスト３，３はヘッドシリンダ２を挟む左右両側に振り分けて配備されていて、互いに同調してヘッドシリンダ２の回転ドラムから遠隔した初期位置と回転ドラムの近傍の動作位置との間で矢印のように往復移動可能であり、初期位置から動作位置に至る往動ａ，ａによりテープカセット１から引き出した磁気テープＴを回転ドラムと固定ドラムとに跨がって巻き掛けるローディング動作を行い、動作位置から初期位置に至る復動ｂ，ｂにより回転ドラムと固定ドラムとに対する磁気テープの巻掛け状態を解除するアンローディング動作を行う。これらのローディングポスト３のそれぞれには、回転ドラムの上記傾斜軸と略平行な傾斜ポスト４が付設されていて、この傾斜ポスト４は、それと組をなすローディングポスト３と共に共通の可動基台（不図示：後述する）に一体的に取り付けられている。そして、傾斜ポスト４が回転ドラム２２とローディングポスト３との間に位置して磁気テープＴが巻き掛けられる。
【０００３】
　また、ローディングポスト３，３によってローディングされた磁気テープＴの記録面には、全幅消去ヘッド５１、音声消去ヘッド５２、コントロールヘッド５３などが臨む。さらに、その磁気テープＴに対して、キャプスタン５４とこのキャプスタン５４に磁気テープＴを押し付けるピンチローラ５５とによって所定の走行力が付与されると共に、磁気テープＴには、固定ガイドポスト５６とテンションポスト５７との共働作用によって所定のテンションが付与される。
【０００４】
　図４は従来の磁気テープ装置の要部を概略的に示した平面図である。同図には、ヘッドシリンダ２が固定ドラム２１と回転ドラム２２とを備えていることが示され、固定ドラム２１と回転ドラム２２との隙間に回転ドラム２１に内蔵されている磁気ヘッド２３が臨んでいることが示されている。また、ヘッドシリンダ２の片側に配備されているローディングポスト３とそれに付設されている傾斜ポスト４とがそれらに共通の可動基台６に取り付けられて一体化されていることが示されている。さらに、ヘッドシリンダ２に対向して配備されたクリーナユニット７が示されている。
【０００５】
　このクリーナユニット７は、ヘッドシリンダ２が取り付けられているシャーシ９に取り付けられた垂直軸７１と、この垂直軸７１に揺動可能に嵌合保持されたアーム７２と、このアーム７２の先端部に取り付けられたクリーナ部材７３とを備えていると共に、アーム７２に連設されて湾曲形状に延び出た制御レバー部７４と、アーム７２に連設されてシャーシ９の係止孔９１に係止されている復帰ばね部７５とを備えている。
【０００６】
　そして、ローディングポスト３が初期位置から動作位置に至る往動により磁気テープを回転ドラムに巻き掛けるローディング動作の途中の工程、及び、ローディングポスト３が動作位置から初期位置に復帰する復動により上記回転ドラムに対する磁気テープの巻掛け状態を解除するアンローディング動作の途中の工程のそれぞれにおいて、ローディングポスト３又は可動基台６が制御レバー部７４を蹴ると、アーム７２が復帰ばね部７５の付勢に抗して揺動することよりクリーナ部材７３が図中仮想線のように固定ドラム２１と回転ドラム２２との隙間を跨ぐ位置でそれらに接触し、そのクリーナ部材７３に磁気ヘッド２３が擦れて磁気ヘッド２３がクリーニングされる。また、ローディングポストのローディング動作時やアンローディング動作時において、ローディングポスト３又は可動基台６が制御レバー部７４から離れているときには、復帰ばね部７５によって付勢されたアーム７２が、クリーナ部材７３を図中実線のように固定ドラム２１と回転ドラム２２とから離れた位置に退避させる。
【０００７】
　図４を参照して説明した従来の磁気テープ装置では、図５（Ａ）に示したクリーナ部材７３の動作説明図のように、クリーナ部材７３が、垂直軸７１（図４参照）を中心として回転ドラム２２に対し矢印のように遠近揺動するので、クリーナ部材７３が回転ドラム２２に対して接触する箇所は、回転ドラム２２の外周面の１箇所だけになる。この場合のクリーナ部材７３と磁気ヘッド２３（図４参照）の移動軌跡Ｌとの関係を図５（Ｂ）に示してある。なお、図５（Ｂ）では、クリーナ部材７３の表面が展開して示され、クリーナ部材７３の移動軌跡Ｌを一点鎖線で示してある。ここで、クリーナ部材７３が円柱状に形成されていて、回転ドラム２２と擦れ合うことにより追従回転するものとすると、図５（Ｂ）に示した説明図のように、クリーナ部材７３の幅方向の１箇所を磁気ヘッド２３が直線状の軌跡を描いて擦れ合いながら通過することになる。
【０００８】
　一方、先行例には、図４で説明した可動基台６に相当する部材であるスライダに、クリーナ部材の支軸を具備させ、そのスライダによって磁気テープをローディングするのに伴って、クリーナ部材が回転ヘッドシリンダ（図４のヘッドシリンダに相当する）に擦れ合うようにした構成が示されている（たとえば特許文献１参照）。また、他の先行例にも、図４で説明した可動基台６に相当する部材であるスライダに、クリーナ部材に相当するクリーナを取り付けた事例が示されている（たとえば特許文献２参照）。
【０００９】
【特許文献１】特開平６−１３１６３６号公報
【特許文献２】特開平６−３２５３３２号公報
【考案の開示】
【考案が解決しようとする課題】
【００１０】
　しかしながら、図４で説明した従来の磁気テープ装置では、図５（Ｂ）に示したように、クリーナユニット７の動作時に、クリーナ部材７３の幅方向の１箇所を磁気ヘッド２３が直線状の軌跡を描いて擦れ合いながら通過するので、クリーナ部材７３の表面の一部だけが磁気ヘッド２３のクリーニングのために使用され、その他の広い範囲がクリーニングに役立たないデッドスペースになるという状況が生まれる。ところが、そのような状況が生まれると、磁気ヘッド２３に対するクリーニング作用が早期に劣化してクリーニング性能の持続性が損なわれる。また、シャーシ９に取り付けられた垂直軸７１が余分に必要になるだけでなく、制御レバー部７４や復帰ばね部７５を備えたアームの形状が複雑であるために、クリーナユニット７自体のコストが高くつき、その組立ても煩雑になっていた。
【００１１】
　これに対し、先行例として示した特許文献１や特許文献２のものでは、磁気テープのローディングを行うスライダにクリーナ部材を取り付けてあることにより、クリーナ部材が回転ドラムの外周面に一定の長さを有する領域で擦れ合うことになる。そのため、クリーナ部材７３の表面の広い範囲が磁気ヘッド２３のクリーニングのために使用されるようになってクリーニング性能の持続性が改善されるものの、クリーナ部材を、ローディングポストや傾斜ポストに相当する部材を取り付けたスライダに取り付けてあるので、クリーナ部材専用の取付スペースをスライダに確保する必要が生じてそれだけクリーナ部材が大形化し、そのことが、磁気テープ装置の他の部品配列に影響を及ぼして全体的な設計変更の必要性が生じるという問題点がある。
【００１２】
　本考案は以上の状況や問題点に鑑みてなされたものであり、磁気テープ装置にもともと備わっているローディングポストや傾斜ポストを活用してクリーナユニットを取り付けられるようにすることにより、クリーニング性能の持続性を改善することと併せて、クリーナユニットの構成の簡略化やその組立て作業性の改善を図り、ひいては磁気テープ装置のコストダウンを図ることを目的としている。
【課題を解決するための手段】
【００１３】
　本考案に係る磁気テープ装置は、磁気ヘッドを備えて傾斜軸の回りで回転する回転ドラムから遠隔した初期位置と上記回転ドラムの近傍の動作位置との間で往復移動可能で、初期位置から動作位置に至る往動によりテープカセットから引き出した磁気テープを上記回転ドラムに巻き掛けるローディング動作を行い、動作位置から初期位置に至る復動により上記回転ドラムに対する磁気テープの巻掛け状態を解除するアンローディング動作を行うローディングポストと、このローディングポストに付設されかつ上記傾斜軸と平行に配備されて上記回転ドラムに傾斜姿勢で巻き掛けられた磁気テープの姿勢を垂直姿勢に修正してその磁気テープを上記ローディングポストに対して案内する傾斜ポストとが、それらに共通の可動基台に取り付けられて一体化されていると共に、上記ローディングポストのローディング動作又はアンローディング動作の途中の工程で、上記回転ドラムに押し付けられて上記磁気ヘッドをクリーニングするクリーナユニットを備えている。
【００１４】
　そして、上記傾斜ポストが、磁気テープ巻掛け部と磁気テープが巻き掛けられない非巻掛け部とを備え、上記クリーナユニットのクリーナ部材を支持するアームが、上記傾斜ポストの非巻掛け部に嵌合保持されていると共に、クリーナ部材が、上記各工程で上記回転ドラムの外周面の一定角度範囲の領域と擦れ合う位置に配備されている。
【００１５】
　この構成であれば、ローディングポストのローディング動作及びアンローディング動作の途中でクリーナ部材が回転ドラムの一定角度範囲の領域と擦れ合い、しかも、回転ドラムが傾斜軸の回りで回転するので、磁気ヘッドがクリーナ部材の幅方向に相対移動しながらクリーナ部材によって擦られる。そのため、クリーナ部材の表面の広い範囲が磁気ヘッドのクリーニングに使用されるようになって、クリーナ部材の表面のクリーニングに役立たないデッドスペースを小さく抑えることが可能になり、そのことが、磁気ヘッドに対するクリーニング作用の早期劣化を抑制してクリーニング性能の持続性が保たれる。またクリーナユニットは、そのアームが可動基台にもともと取り付けられている傾斜ポストを利用して嵌合保持されているので、可動基台にクリーナユニット専用の取付スペースを確保する必要がなくなって取付基台の大形化を来すことがない。
【００１６】
　本考案では、上記工程で、上記クリーナ部材が上記回転ドラムの外周部を擦りながら水平に移動するようになっているのに対し、そのクリーナ部材が擦れ合う上記回転ドラムの擦合領域で、上記磁気ヘッドが山形状の軌跡に沿って回転するようになっていることが望ましい。これによれば、上記した理由により磁気ヘッドに対するクリーニング作用の早期劣化を抑制してクリーニング性能の持続性が保たれる。
【００１７】
　本考案では、上記ローディングポストが、磁気テープ巻掛け部と磁気テープが巻き掛けられない非巻掛け部とを備え、上記アームが、上記傾斜ポストの非巻掛け部に嵌合された孔部と、上記ローディングポストの非巻掛け部に係止して当該アームが傾斜ポストを中心に回動することを阻止する係止部とを備えていることが望ましい。これによれば、アームアームの係止部がローディングポストの非巻掛け部に係止することによってクリーナユニットの取付状態が安定し、そのことが磁気ヘッドのクリーニング性能を向上させることに役立つ。
【００１８】
　本考案では、上記ローディングポストの非巻掛け部が、上記傾斜ポストの非巻掛け部の横に並んで位置していると共に、上記アームの係止部がその孔部の横に延び出て上記ローディングポストの非巻掛け部に係止されていることが望ましい。これによれば、クリーナーユニットの孔部と係止部とを横に並べて形成することが可能になるので、クリーナユニットの形状が簡素化を容易に図ることが可能になり、そのことが、クリーナユニットの価格の低減や組立て作業性の改善を行うことが容易になる。
【００１９】
　本考案に係る磁気テープ装置は、次の構成、すなわち、磁気ヘッドを備えて傾斜軸の回りで回転する回転ドラムから遠隔した初期位置と上記回転ドラムの近傍の動作位置との間で往復移動可能で、初期位置から動作位置に至る往動によりテープカセットから引き出した磁気テープを上記回転ドラムに巻き掛けるローディング動作を行い、動作位置から初期位置に至る復動により上記回転ドラムに対する磁気テープの巻掛け状態を解除するアンローディング動作を行うローディングポストと、このローディングポストに付設されかつ上記傾斜軸と平行に配備されて上記回転ドラムに傾斜姿勢で巻き掛けられた磁気テープの姿勢を垂直姿勢に修正してその磁気テープを上記ローディングポストに対して案内する傾斜ポストとが、それらに共通の可動基台に取り付けられて一体化されていると共に、上記ローディングポストのローディング動作又はアンローディング動作の途中の工程で、上記回転ドラムに押し付けられて上記磁気ヘッドをクリーニングするクリーニングユニットを備えている磁気テープ装置において、上記傾斜ポストと上記ローディングポストとに、横に並んでいる位置する磁気テープ巻掛け部と、横に並んで位置して磁気テープが巻き掛けられない非巻掛け部とが、それぞれ具備されており、上記クリーニングユニットのクリーナ部材を支持するアームに具備された孔部が、上記傾斜ポストの非巻掛け部に嵌合保持されていると共に、その孔部から横に延び出た二股状の係止部が上記ローディングポストの非巻掛け部に嵌合して係止されて当該アームが傾斜ポストを中心に回動することを阻止しており、上記工程で、上記クリーナ部材が上記回転ドラムの外周部を擦りながら水平に移動するようになっているのに対し、そのクリーナ部材が擦れ合う上記回転ドラムの擦合領域で、上記磁気ヘッドが山形状の軌跡に沿って回転するようになっている、という構成を採用することによって、いっそう具体化される。この考案の作用については後述する実施形態を参照した詳細に説明する。
【考案の効果】
【００２０】
　以上のように、本考案に係る磁気テープ装置は、クリーナユニットの取付箇所として、可動基台に取り付けられている傾斜ポストやローディングポストを選択したので、従来のようにシャーシに垂直軸や係止孔を形成する必要がなくなるだけでなく、ローディングポストによるローディング動作中又はアンローディング動作中に、クリーナ部材の表面の幅方向の広い範囲を使用して磁気ヘッドをクリーニングすることがてきるようになっていて、クリーニング性能の持続性が従来に比べて改善されるため、磁気テープ装置の画像や音声の安定性、その他の磁気ヘッドの汚れに起因するトラブルを長期に亘って生じにくくなる。
【考案を実施するための最良の形態】
【００２１】
　図１は本考案の実施形態に係る磁気テープ装置の要部を概略的に示した平面図である。この磁気テープ装置において、図４で説明した従来の磁気テープ装置と異なる点は、図４に示されているシャーシ９の係止孔９１や垂直軸７１を省略し、かつ、クリーナユニット７のアーム７６の形状を図４に示したアーム７２よりも単純化して可動基台６に取り付けてある点だけであり、その他の点は図４で説明したところと同様であるので、同一部分に同一符号を付して説明を省略することより説明の重複を避けることとする。
【００２２】
　図１に示した可動基台６やその可動基台６に取り付けられた傾斜ポスト４及びローディングポスト３は、図４で説明したものと同様の構成を備えたものであるけれども、ここでは、傾斜ポスト４及びローディングポスト３についてさらに詳細に説明する。すなわち、ローディングポスト３は、磁気テープを巻き掛けるための有効部分である磁気テープ巻掛け部とその下側に位置する非巻掛け部とをもともと備えていて、その非巻掛け部は、可動基台６に突出させたボス部によって形成されるようになっている。また、傾斜ポスト４も、磁気テープを巻き掛けるための有効部分である磁気テープ巻掛け部とその下側に位置する非巻掛け部とをもともと備えている。そして、ローディングポスト３の非巻掛け部と傾斜ポスト４の非巻掛け部とは横に並んでいる。
【００２３】
　これに対し、クリーナユニット７は、リブ７６ａによって補強された平板状のアーム７６を有し、このアーム７６の基部側に、傾斜ポスト４の非巻掛け部に回転可能に嵌合保持された孔部７７と、その孔部７７から横に延び出てローディングポスト３の非巻掛け部に嵌合して係止された二股状の係止部７８とが備わっていると共に、アーム７６の先端部に円柱状のクリーナ部材７３が回転自在に取り付けられている。この取付構造によると、クリーナユニット７に専用の取付スペースを可動基台６に確保する必要がなく、しかも、係止部７８がローディングポスト３の非巻掛け部に嵌合して係止していることによって、傾斜ポスト４を中心にしてアーム７６が回動することが阻止される。また、クリーナユニット７を取り付けるときには、アーム７６の孔部７７を傾斜ポスト４の非巻掛け部に嵌合させることと併せて、係止部７８をローディングポスト３の非巻掛け部に係止させるだけでよい。
【００２４】
　上記した孔部７７や係止部７８を備えている平板状のアーム７６は合成樹脂で一体成形されていて、それ自体が合成樹脂に特有の弾性を備えている。アーム７６を上記したように平板状に形成することによって形状が単純化されたり小形化されたりして成形コストが安くつくようになった。
【００２５】
　図１において、９２はシャーシに形成されたガイド溝であり、ローディングポスト３による磁気テープのローディング動作時及びアンローディング動作時には、可動基台６がこのガイド溝９２に案内されて初期位置と動作位置との間で往復移動する。そして、クリーナユニット７のクリーナ部材７３は、ローディングポスト３がローディング動作及びアンローディング動作を行う各工程で、回転ドラム２２の外周面の一定角度範囲の領域と擦れ合う位置に配備されていると共に、上記各工程で、クリーナ部材７３が回転ドラム２２の外周部を擦りながらアーム７６の弾性変形を伴って水平に移動するようになっている。このような状況は、アーム７６の長さや向きを適正に定めることによって容易に作り出すことが可能である。
【００２６】
　傾斜ポスト４は、回転ドラム２２の傾斜軸と同一角度に傾斜していて、それらの角度や傾斜の向きは、規格化された磁気テープ装置において一定である。すなわち、一般的に回転ドラム２の傾斜軸は、図１で類推できるように、磁気テープ装置の前側から見て左側に傾いた姿勢で立ち上がっている。
【００２７】
　図２（Ａ）には、ローディングポスト３のローディング動作又はアンローディング動作の途中の工程でクリーナ部材７６が回転ドラム２２の外周面と擦れ合う領域の角度範囲を符号θで示してある。また、同図（Ｂ）には、クリーナ部材７６と磁気ヘッド２３（図１参照）の移動軌跡Ｌとの関係を示してある。なお、図２（Ｂ）では、クリーナ部材７６の表面が展開して示され、クリーナ部材７３の移動軌跡Ｌを一点鎖線で示してある。
【００２８】
　図２（Ａ）で判るように、クリーナ部材７３が角度範囲θの擦合領域で回転ドラム２２の外周面と追従回転しながら擦れ合うときには、図２（Ｂ）のように、クリーナ部材７３の表面に対して磁気ヘッド２３が山形状の軌跡Ｌに沿って回転する。そのため、クリーナ部材７３の幅方向の広い範囲が磁気ヘッド２３のクリーニングに使われるようになる。しかも、そのようなクリーニング動作が、磁気テープのローディング動作やアンローディング動作ごとに繰り返されるので、クリーナ部材７３の表面のうち、磁気ヘッド２３がクリーナ部材７３の表面の幅方向に変位する範囲の全体が万遍なくクリーニングに使用されてクリーニング性能の持続性が従来に比べて顕著に改善されるようになる。
【００２９】
　なお、図１には、磁気テープのローディング動作時にクリーナ部材７３が回転ドラム２２の外周面の擦合領域の始点に位置している状態を仮想線で示してある。また、図２（Ａ）には、ローディング動作が完了しているときのクリーナ部材７３の位置を仮想線で例示してある。
【図面の簡単な説明】
【００３０】
【図１】本考案の実施形態に係る磁気テープ装置の要部を概略的に示した平面図である。
【図２】（Ａ）はクリーナ部材が回転ドラムの外周面と擦れ合う領域を示した説明図、（Ｂ）はクリーナ部材と磁気ヘッドの移動軌跡との関係を示した説明図である。
【図３】磁気テープ装置の一般的な概略構成を示した説明図である。
【図４】従来の磁気テープ装置の要部を概略的に示した平面図である。
【図５】（Ａ）は図４の磁気テープ装置でのクリーナ部材の動作説明図、（Ｂ）は図４の磁気テープ装置でのクリーナ部材と磁気ヘッドの移動軌跡との関係を示した説明図である。
【符号の説明】
【００３１】
　１　テープカセット
　３　ローディングポスト
　４　傾斜ポスト
　６　可動基台
　７　クリーナユニット
　２２　回転ドラム
　２３　磁気ヘッド
　７６　アーム
　７７　孔部
　７８　係止部
　Ｌ　磁気ヘッドの移動軌跡
　Ｔ　磁気テープ
【図１】
0003099769.tif 000003
【図２】
0003099769.tif 000004
【図３】
0003099769.tif 000005
【図４】
0003099769.tif 000006
【図５】
0003099769.tif 000007